(57)【要約】  光学部品の度数の修正を可能にする円盤は、フレネルレンズからなる。円盤は最初に、光学部品の形状に対応する全体として丸い形状で形成される。このようにして、円盤は、部品に付着させたとき、その形状を失わず、またはほとんど失わない。この円盤により、円盤を備える部品を通じて物体が観察されるとき、像の歪みまたは光学収差を生じさせない。そのような円盤は特に、屈折異常の矯正を得るように、または最初は屈折度数のない日光用マスクに対して適合される。
2009540347.tif 000002
【特許請求の範囲】
【請求項１】
光学部品（１０、１１）の曲面（Ｓ０）に固定させて前記部品の屈折度数を修正するためのパッチ（１）であって、前記パッチの平滑な面（Ｓ２）と平行に、互いに入れ子に配置された一連のフレネルゾーン（２）によって形成され、かつ２つの連続したゾーン間に、可視光の平均波長の５倍より大きな段差（３）を与える、屈折フレネルレンズを含み、前記段差が、前記パッチの光学中心（Ｏ）で、前記平滑な面に垂直な方向（ｚ）で測定され、
前記パッチが、連続したフレネルゾーン間の前記段差に加えて、平均曲率半径が１３５ｍｍ〜５３ｍｍの全体として膨らんだ形状を有することと、連続したフレネルゾーン間の前記段差（３）が、パッチの全体として凸状の面（Ｓ１）に位置することとを特徴とする、パッチ。
【請求項２】
連続したフレネルゾーン間の前記段差（３）に加えて、全体として実質的に球面の形状を有する、請求項１に記載のパッチ。
【請求項３】
平均曲率半径が８８ｍｍ〜５３ｍｍであり、好ましくは実質的に６６ｍｍに等しい、請求項１または２に記載のパッチ。
【請求項４】
連続したフレネルゾーン間の前記段差（３）が、前記パッチの面（Ｓ１）の表面全体にわたって可変の大きさを有する、請求項１から３のいずれか一項に記載のパッチ。
【請求項５】
連続したフレネルゾーン間の前記段差（３）が、前記パッチの光学中心（Ｏ）を囲む半径１０ｍｍの円（Ｃ）内で実質的に一定の大きさを有する、請求項１から４のいずれか一項に記載のパッチ。
【請求項６】
半径１０ｍｍの前記円（Ｃ）の外側で、前記光学中心（Ｏ）からの距離が増大するにつれて、連続したフレネルゾーン間の前記段差（３）の大きさが、前記パッチの周辺部で増大する、請求項５に記載のパッチ。
【請求項７】
前記円（Ｃ）内の連続したフレネルゾーン間の前記段差（３）の大きさが５μｍ〜５０μｍであり、前記円（Ｃ）の外側で前記パッチの周辺部までの連続したフレネルゾーン間の前記段差（３）の可変の大きさが５μｍ〜２５０μｍである、請求項５または６に記載のパッチ。
【請求項８】
連続したフレネルゾーン間の前記段差（３）が、前記パッチの表面（Ｓ１）全体にわたって実質的に一定の大きさを有する、請求項１から３のいずれか一項に記載のパッチ。
【請求項９】
連続したフレネルゾーン間の前記段差（３）の大きさが、５μｍ〜１００μｍである、請求項８に記載のパッチ。
【請求項１０】
前記フレネルゾーン（２）の寸法（Δｒ）が、前記光学中心（Ｏ）を通過しかつ前記パッチの光軸と垂直な半径方向（ｒ）で、１０μｍ〜２ｍｍである、請求項１から９のいずれか一項に記載のパッチ。
【請求項１１】
前記パッチの平滑な面（Ｓ２）と垂直に測定された平均厚さ（ｅ）が２ｍｍ未満である、請求項１から１０のいずれか一項に記載のパッチ。
【請求項１２】
平均厚さ（ｅ）が０．５〜０．７ｍｍである、請求項１１に記載のパッチ。
【請求項１３】
透明な熱可塑性材料を含む、請求項１から１２のいずれか一項に記載のパッチ。
【請求項１４】
ポリカーボネートベースの材料を含む、請求項１から１３のいずれか一項に記載のパッチ。
【請求項１５】
基礎光学部品（１０、１１）と、前記部品に固定された、請求項１から１４のいずれか一項に記載のパッチ（１）とを含む光学素子。
【請求項１６】
前記パッチの面のうちの前記段差（３）を含む面（Ｓ１）が、前記部品（１０、１１）に面している、請求項１５に記載の素子。
【請求項１７】
前記パッチ（１）が、前記パッチと前記部品の間に配置された接着材料層（２０）によって前記部品（１０、１１）に固定された、請求項１５または１６に記載の素子。
【請求項１８】
前記パッチ（１）が、光屈折率が実質的に１．５９に等しい材料を含み、前記接着材料（２０）の光屈折率が、実質的に１．５０に等しい、請求項１７に記載の素子。
【請求項１９】
前記接着材料（２０）が、照射もしくは熱的手段によって重合させることができる接着剤タイプ、またはラテックスタイプである、請求項１７または１８に記載の素子。
【請求項２０】
前記接着剤（２０）がアクリレートベースであり、ＵＶ照射によって重合させることができる、請求項１９に記載の素子。
【請求項２１】
前記接着材料（２０）が、液体状態で、前記パッチ（１）上で９０°未満の濡れ角を示す、請求項１７から２０のいずれか一項に記載の素子。
【請求項２２】
前記基礎部品が眼科用レンズ（１１）である、請求項１５から２１のいずれか一項に記載の素子。
【請求項２３】
前記基礎部品が、屈折異常矯正用の眼科用レンズである、請求項２２に記載の素子。
【請求項２４】
前記眼科用レンズが、着色されまたは部分的に反射性である、請求項２２または２３に記載の素子。
【請求項２５】
前記基礎部品が、一対のサングラス（１０）に適合されたレンズである、請求項１５から２４のいずれか一項に記載の素子。
【請求項２６】
前記パッチ（１）が、前記基礎部品（１０、１１）の凹面（Ｓ０）に固定された、請求項２２から２５のいずれか一項に記載の素子。
【請求項２７】
前記基礎部品が、マスクレンズ、特に日光用、スキー用、もしくはダイビング用マスク、またはバイザ、特にヘルメットバイザである、請求項１５から２２のいずれか一項に記載の素子。
【請求項２８】
少なくとも１つのレンズ（１０、１１）と、前記レンズに固定された、請求項１から１４のいずれか一項に記載の１つのパッチ（１）とを含む一対の眼鏡。
【請求項２９】
屈折異常矯正用の眼鏡またはサングラスのタイプである、請求項２８に記載の一対の眼鏡。
【請求項３０】
前記パッチ（１）が、前記レンズの背面に固定された、請求項２８または２９に記載の一対の眼鏡。
【請求項３１】
前記パッチ（１）が、前記パッチの面のうちの前記段差（３）を含む面（Ｓ１）が前記レンズに面するように前記レンズに固定された、請求項２８から３０のいずれか一項に記載の一対の眼鏡。
【請求項３２】
前記パッチ（１）が、接着材料によって前記レンズ上に維持される、請求項２８から３１のいずれか一項に記載の一対の眼鏡。
【請求項３３】
請求項１から１４のいずれか一項に記載のパッチを製作する方法であって、
−  パッチ（１）の段差を有する面（Ｓ１）および平滑な面（Ｓ２）をそれぞれ画定する２つのインサート（１０１、１０２）を、射出金型（１００）内で互いに対向させ、かつ製作すべき前記パッチ（１）に対応する間隙（１０３）によって隔てるように配置するステップと、
−  前記２つのインサート間の前記間隙（１０３）を満たすように、前記金型（１００）内へ透明な熱可塑性材料を射出するステップとを含む、方法。
【発明の詳細な説明】
【技術分野】
【０００１】
本発明は、光学部品の表面に固定させてその屈折度数を修正するためのパッチに関する。本発明はまた、そのようなパッチを組み込む光学素子および一対の眼鏡、ならびにパッチを製作する方法に関する。
【背景技術】
【０００２】
光学部品の特定の用途に従って、光学部品の度数を適合することは有用となりうる。これにはたとえば、サングラスの眼鏡を、この眼鏡の着用者の屈折異常に適合させるという場合がありうる。本発明では、光学部品の度数は、この素子の両眼転導について説明し、一般にジオプトリで表される。
【０００３】
光学部品の度数を修正するために、光学部品の表面に付着させるための透明な材料のパッチを製作することは、周知である。パッチは、パッチの平滑な面と平行に、互いに入れ子に配置された一連のフレネルゾーンによって形成されたフレネルレンズを含む。これらのゾーンは、２つの連続したゾーン間に、可視光の平均波長の５倍より大きな段差（ｊｕｍｐ  ｉｎ  ｈｅｉｇｈｔ）を与える。これらの段差は、平滑な面の接線に垂直な方向で測定される。これらの条件では、パッチ自体が、各フレネルゾーン内のパッチの２つの面で光線が屈折することから生じる屈折度数を有する。パッチのこの屈折度数が、パッチを付着させる光学部品の度数に加えられる。フレネルレンズの形式を使用することで、光学部品に取り付けられるはずの追加のレンズに比べて、固定の度数修正を得るためのパッチの厚さを低減する。
【０００４】
これらのパッチは、最初は平坦な形状を有し、レンズまたは眼科用眼鏡の曲面に付着させるときに膨らませなければならない。パッチを与えられた後は、レンズまたは眼科用眼鏡に付着させたときにパッチがこうして変形することにより、レンズまたは眼鏡を通じて形成される像の歪みが生じ、かつ光学収差が生じる。その結果、眼鏡の異なる点を通じて観察したとき、物体に可変の変形が現れるので、そのような欠陥は特に、眼科用には好ましくない。具体的には、観察される物体が視野内で動くとき、または眼鏡の着用者が頭を回して見ている物体を追うとき、像の歪みは動的に変動する。これらの像の歪みは極めて好ましくない。最後に、パッチによって提供される屈折度数の修正が大きいとき、これらの欠陥はますます大きくなる。
【０００５】
さらに、既存のパッチは、パッチの面のうちの段差を含む面を、眼鏡から離れる方向へ向けることによって、眼鏡に付着させるように設計される。実際には、段差の反対側に位置する各パッチの平滑な面では、毛管現象または静電効果によって、パッチが眼鏡に接着できるようにする。その結果、パッチの面のうちの汚れにさらされる面は、段差を含む面である。このとき、この面は、その起伏のために簡単に清浄にすることができず、段差内に生じる汚れの堆積物により、著しい光拡散が発生する。汚れの堆積物はまた、光の波面を局部的に歪ませることによって、パッチを備える眼鏡を通じて形成される像の質を激しく劣化させる。
【０００６】
米国特許出願第２００６／０１０９５５４号からも、非球面の湾曲を有する底面と準放射状の湾曲を有する上面とを含み、前記上面が複数の回折溝をさらに含む、回折光学レンズが知られる。これらの回折溝は、フレネル回折式に従って形成される。前述の光学レンズは、計器用レンズとして使用されるものであり、このタイプのレンズは、カメラ、プロジェクタ、またさらにはスキャナなどの電子器具に見ることができる。これらの光学レンズは、回折光学素子を構成する。そのようなレンズは、その設計のため、眼科光学では使用できない。実際には、回折レンズは色収差を加え、色収差は、そのレンズのレベルでもたらされる矯正度数に伴って増大する。このため、同特許出願に記載の回折レンズの使用は、本発明が取り組む技術上の問題に対する解決策としては適さない。
【先行技術文献】
【特許文献】
【０００７】
【特許文献１】米国特許出願第２００６／０１０９５５４号
【発明の概要】
【発明が解決しようとする課題】
【０００８】
本発明の一目的は、先に述べた欠点を与えない屈折度数を修正するためのパッチを提案することである。
【課題を解決するための手段】
【０００９】
この目的のために、本発明は、先に述べたタイプのパッチを提案する。このパッチは、光学部品の曲面に固定させてその度数を修正するものである。「修正する」という用語は、度数をもたない光学部品への屈折度数の付加、またはすでにそれ自体の屈折度数を有する光学部品の屈折度数の変更のいずれかを意味すると理解されたい。本発明によれば、パッチは、フレネルゾーン間に存在する段差に加えて、全体として膨らんだ形状を有する。言い換えれば、パッチの平滑な面の最初の曲率は、実質的に、前記パッチを受けるための光学部品の曲面の形状に対応する。パッチの面のうちの段差を含む面の平均曲率もまた、光学部品の前記曲面に対応する。パッチの面のうちの段差を含む面が、光学部品の曲面と接触するように配置されるためのものである。
【００１０】
したがって、本発明に記載の屈折度数を修正するためのパッチは平坦ではなく、段差に加えて、全体として膨らんだ形状、たとえば実質的に球面の形状を示す。この最初から膨らんだ形状のため、それ自体が実質的に膨らんでいる光学部品の表面に付着させたとき、パッチはわずかしか変形せず、または変形しない。その結果、パッチを備える光学部品を通じて物体が観察されるとき、パッチは、ほとんどもしくは一切の像の歪み、または光学収差をもたらさない。その結果、パッチ自体のレベルで絶対値として３０ジオプトリを上回りうる大幅な屈折度数修正をもたらすパッチの場合でも、光学部品の使用における快適さはパッチによって低下しない。
【００１１】
本発明では、「光学部品」という用語は、ヘルメットバイザなどのバイザおよび眼科用レンズを意味すると理解されたい。「眼科用レンズ」という用語は、特に眼鏡フレーム、またはスキー用マスクもしくはダイビング用マスクなどのマスク、およびその機能が眼を保護しかつ／もしくは視力を矯正することであるマスクに適合するレンズを意味すると理解されたい。これらのレンズは、無限焦点、一焦点、二焦点、または可変焦点レンズから選択される。日光用マスクなどの「マスク」という用語は、単一の部分からなりかつ両眼の前に配置させるためのレンズを意味すると理解されたい。そのような眼科用レンズまたはバイザは、必要なら着色することができる。本発明では、これらの光学部品は任意選択で、１つまたは複数のコーティングを塗布することによって提供される１つまたは複数の機能を有することができる。１つまたは複数の機能は特に、光互変性、反射防止、汚れ耐性、耐衝撃性、耐擦傷性、偏光性、および帯電防止コーティングから選択することができる。本発明は特に、矯正用または非矯正用眼科用レンズに適する。
【００１２】
本発明の追加の特性によれば、連続したフレネルゾーン間の段差は、パッチの全体として凸状の面に位置する。そのようなパッチを、眼科用レンズの背面、すなわち凹面に対して付着させたとき、パッチの面のうちの汚れにさらされる面は平滑な面である。したがって、この面は容易に清浄にすることができる。その結果、パッチの面のうちの段差を含む面は、パッチを付着させたレンズによって汚れから保護される。その結果、パッチによって提供される屈折度数の修正は恒久的であり、汚れの堆積物によって汚染されない。このパッチを備えたそのような眼科用レンズを含む眼鏡またはマスクの使用者は、日常生活の中で、その実用的な利益をすぐに理解するであろう。
【００１３】
本発明のさらに別の特性によれば、パッチの平均曲率半径は、１３５ｍｍ（ミリメートル）〜５３ｍｍである。そのような曲率半径は、多数の眼鏡レンズの背面、すなわち凹面の形状に対応する。
【００１４】
本発明の改良形態によれば、連続したフレネルゾーン間の段差は、パッチの光学中心を囲む半径１０ｍｍの円内で実質的に一定の大きさを有する。その結果、パッチの面のうちの段差を含む面では、この面の中心部分で、起伏の高さが一定である。このことはさらに、パッチの段差のある側を光学部品に付着させたとき、パッチによって像の歪みまたは光学収差が生じないことを確実にするのに寄与する。本発明はまた、連続したフレネルゾーン間の段差の大きさが前記パッチの表面全体にわたって実質的に一定であるパッチを含む。したがって、本発明は、フレネルゾーン間の可変の段差と、パッチの表面全体にわたってまたは表面の一部で一定であるフレネルゾーン間の一定の段差との異なる可能な組合せを含む。
【００１５】
本発明はまた、基礎光学部品と、この部品に固定された前述のパッチとを含む光学素子に関する。パッチの面のうちの段差を含む面は、この面を汚れから保護するために、光学素子内の基礎部品に面していることが好ましい。具体的には、パッチは、前記パッチと前記光学部品との間の恒久的な密着を形成できる接着特性を有する材料の層によって、部品に固定することができる。その結果、この材料の層は、光学素子を形成する２つの要素間に配置される。
【００１６】
前述のように、基礎光学部品は、眼科用レンズとすることができる。そのような眼科用レンズは、着色されまたは部分的に反射性であり、かつ必要なら、屈折異常を矯正できる光学特性を有することが好ましい。その結果、レンズの凹面、すなわち背面に付着させたとき、パッチはほとんど見えず、このレンズを含む一対の眼鏡の美観を損なわない。
【００１７】
本発明はまた、少なくとも１つのレンズと、そのレンズに固定された前述のパッチとを含む一対の眼鏡に関する。パッチは、レンズの背面に固定されることが好ましい。そのような一対の眼鏡は、着色もしくは非着色の屈折異常矯正用の眼鏡タイプ、または特に非矯正用のサングラスもしくは日光保護用のマスクタイプとすることができる。
【００１８】
最後に、本発明は、熱可塑性材料をベースに、先に述べた屈折度数を修正するためのパッチを製作する方法に関する。
【００１９】
本発明の他の特定の特徴および利益は、添付の図面を参照して、以下の例示的かつ非限定的な実施形態についての説明から明らかになるであろう。
【図面の簡単な説明】
【００２０】
【図１ａ】本発明によるパッチの斜視図である。
【図１ｂ】本発明によるパッチの横断面図である。
【図１ｃ】本発明によるパッチの横断面図である。
【図２ａ】図１ｂによるパッチを備える、一対の眼鏡内に配置するのに適した眼科用レンズの横断面図である。
【図２ｂ】図１ｃによるパッチを備える、一対の眼鏡内に配置するのに適した眼科用レンズの横断面図である。
【図３】本発明によるパッチに対する段差の変動を示す線図である。
【図４】濡れ角を測定する規則を示す図である。
【図５】本発明によるパッチの製作の原理を示す図である。
【発明を実施するための形態】
【００２１】
見やすいように、図示する要素の寸法は、実際の寸法または寸法比に比例しない。さらに、異なる図中の同一の参照符号は、同一の要素を表す。
【００２２】
図１ａおよび１ｂによれば、本発明によるパッチ１は、全体として膨らんだ形状、またはカップ形状を有する。パッチは、球面のドーム形状を有し、平均曲率半径は、たとえば６６ｍｍ（ミリメートル）程度とできることが好ましい。この平均曲率半径は、８８ｍｍ〜５３ｍｍであると有利である。
【００２３】
パッチ１は、フレネルレンズを構成する。フレネルレンズは、同心円状にかつ隣接して配置されたフレネルゾーンの連続、たとえば１００〜２００個のゾーンによって形成される。図中で２と示すこれらのゾーンは、ｚで表す光軸に従って向きを定められかつ中心に位置決めされた同軸の円環である。その結果、軸ｚは、パッチ上に位置しかつＯで表すパッチの光学中心を通過する。周知のように、各フレネルゾーンはレンズの一部分に対応し、パッチ１の厚さは、このゾーン内で、軸ｚに垂直な面で、ｒで表す半径方向に連続的に変動する。２つの連続したゾーン２間では、パッチ１の表面の一方が軸ｚと平行な段差を有する。段差を３と示す。段差の大きさをΔｚで表す。本発明によれば、連続したゾーン２間に存在する段差３は、パッチ１の全体の形状の上に重ねられ、この全体の形状は膨らんでおり、場合によってはほぼ球面であるものと指定する。
【００２４】
段差３は、パッチ１の凸面の高さの切れ目に相当することが好ましい。パッチ１の凸面をＳ１と示す。２つの連続した段差３間では、フレネルゾーン２は、Δｒで表す半径方向の寸法を有する。Δｒは軸ｚと垂直に測定される。その場合、Ｓ２と示すパッチ１の凹面は、平滑である。ｅは、面Ｓ１とＳ２の間のパッチ１の平均厚さを示す。ｅは、面Ｓ２と垂直に測定される。厚さｅは、２ｍｍ未満であることが好ましく、０．５〜０．７ｍｍとすることができる。その結果、パッチ１を含む光学素子の、パッチ１のための重量の増加が制限される。
【００２５】
いかなる光拡散、回折、もしくは虹色も生じさせないように、またはこれらの現象が知覚できるほどにならないように、フレネルゾーン２は、段差３の大きさΔｚが少なくとも可視光の平均波長の５倍に等しくなるように寸法設定される。たとえば、段差３の大きさは、５μｍ（マイクロメートル）〜２５０μｍとすることができる。このように、自然光のコヒーレンス長は短いので、異なるゾーン２を通過する光ビームの部分間に生じるはずの干渉は知覚できない。言い換えれば、パッチ１は、各ゾーン２内の表面Ｓ１およびＳ２の形状に関連する純粋に屈折による光学効果を有し、目に見える回折効果をもたらさない。前述のように、連続したフレネルゾーン間の段差３の大きさは、表面（Ｓ１）で実質的に球面であるそのプロファイルを維持しながら、パッチの表面の少なくとも一部にわたって可変とすることができる。この場合、大きさΔｚは、パッチの周縁部で、その中心ゾーンより大きい。したがって、本発明によれば、連続したフレネルゾーン間の段差が表面（Ｓ１）全体にわたって可変である場合、これらの段差の大きさは、５μｍ〜２５０μｍとすることができる。連続したフレネルゾーン間の段差が表面（Ｓ１）全体にわたって一定である場合、これらの大きさは、５μｍ〜１００μｍとすることができる。連続したフレネルゾーン間の段差が、パッチの光学中心（Ｏ）を囲む半径１０ｍｍの円（Ｃ）内で実質的に一定の大きさを有する場合、円（Ｃ）内のその大きさは、５μｍ〜５０μｍとすることができ、この円（Ｃ）の外側からレンズの周辺部までの段差の可変の大きさは、５μｍ〜２５０μｍとすることができる。
【００２６】
その結果、各ゾーン２の半径方向の寸法Δｒは、パッチ１の屈折度数および段差３の大きさΔｚに依存する。前述の条件で、かつパッチ１の屈折度数が１２ジオプトリ未満である場合、Δｒは、１０μｍ〜２ｍｍとすることができる。
【００２７】
パッチ１は、各フレネルゾーン２内で、方向ｒのその厚さの変動の方向に従って、正または負の両眼転導を有することができる。図１ｂおよび１ｃは、それぞれ収束または発散パッチに対応する。具体的には、各ゾーン２内のパッチの厚さの変動は、ｒの二次関数とすることができる。
【００２８】
図２ａおよび２ｂは、一対の眼鏡に適合でき、かつその背面Ｓ０、すなわち凹面に、それぞれ図１ｂおよび１ｃによるパッチを備える、２つの眼科用レンズを示す。これらのパッチはそれぞれ、他の形のレンズとも同じように使用でき、また図示の組合せは純粋に、例として選んだものであることが理解される。図２ａの１０と示すレンズは、２つの平行な面を有するので、屈折度数がゼロの日光用レンズとすることができる。その結果、パッチ１は、このレンズにゼロ以外の度数を与え、それによってこのレンズの着用者の屈折異常を矯正することができる。このように、パッチ１は、任意の日光用レンズを、屈折異常を有する着用者に適合させることができる。その結果、そのようなレンズ１０を含む一対の眼鏡は、その外観、彩色、または付随するフレームの形状に従って、着用者が選択することができる。図２ｂの１１と示すレンズは、その周縁部より中心部の方が薄いので、近視矯正に対応する。その結果、パッチ１により、着用者の近視の程度に従って、矯正の大きさを適合させることができる。この場合、パッチ１は、眼鏡およびパッチのそれぞれの光軸を重ねるように、眼鏡１１上に配置される。遠視矯正用の眼鏡でも、同一の機能が得られる。
【００２９】
パッチ１は、レンズ１０または１１の平滑な背面Ｓ０に付着される。この操作は、着用者が選択したフレームにレンズがはめ込まれた一対の眼鏡に、開業医が直接行うことができる。段差３は、中心Ｏを囲む半径Ｒｃの円Ｃ内で、実質的に一定の大きさを有することが好ましい。このようにして、パッチ１は、円Ｃ内では、少なくともパッチの中心領域で、レンズの表面Ｓ０に対してより容易に付着させることができる。図３は、半径方向ｒでの段差３の大きさΔｚの変動の一例を示す。ｒが円Ｃの半径Ｒｃ未満であるとき、段差３の大きさΔｚは一定であり、ゾーン２の半径方向の寸法Δｒは、ゾーン２がますます大きくなるにつれて低減する。値Ｒｃを超え、すなわち円Ｃの外側のパッチ１の周辺部では、特にゾーン２の半径方向の寸法Δｒがあまり短くならないように、段差３の大きさΔｚを増大させることができる。たとえば、Ｒｃは１０ｍｍに等しくすることができ、段差３の大きさΔｚは円Ｃ内で４０μｍに等しくすることができる。
【００３０】
パッチ１は、パッチ１とレンズの間に配置された接着材料層２０で、レンズ１０または１１の面Ｓ０に接着される。パッチ１の光学効果を劣化させないために、使用される接着材料２０は、液体状態で、パッチ１上で９０°未満の濡れ角を示すと有利である。図４は、パッチ１の材料上で接着材料２０の濡れ角θを測定するためにここで採用される規則を示す。これらの条件では、接着材料２０は、気泡を保持しないで段差３の底部に浸透する。いくつかのタイプの接着材料を使用することができ、特に、照射もしくは熱的手段によって重合させることができる接着剤、またはラテックスタイプのものを使用することができる。本発明の特に成功した実装形態は、アクリレートベースでありかつＵＶ照射によって重合させることができる接着剤で得られた。
【００３１】
パッチ１と接着材料２０のそれぞれの光屈折率値間の差が、パッチを備える眼鏡の屈折度数の修正を決定する。パッチ１の材料および接着材料２０に対してそれぞれ実質的に１．５９および１．５０に等しい値により、絶対値で６ジオプトリを上回る屈折度数修正、さらには１２ジオプトリを上回る屈折度数修正を得ることができた。レンズ１０または１１は、眼科業界で一般に使用される任意の材料から形成して、屈折異常を矯正しまたは日光からの保護をもたらすことができる。したがって、眼科用レンズの材料は、無機または有機タイプとすることができる。非限定的な形で示すが、本発明で使用できる有機材料は、光学および眼科で従来使用される材料とすることができる。適切な例は、ポリカーボネート、ポリアミド、ポリイミド、ポリスルホン、ポリ（エチレンテレフタレート）およびポリカーボネートの共重合体、ポリオレフィン、特にポリノルボルネン、ジエチレングリコールビス（アリルカーボネート）の重合体および共重合体、（メタ）アクリル系の重合体および共重合体、特にビスフェノールＡ由来の（メタ）アクリル系の重合体および共重合体、チオ（メタ）アクリル系の重合体および共重合体、ウレタンおよびチオウレタンの重合体および共重合体、エポキシの重合体および共重合体、ならびにエピスルフィドの重合体および共重合体というタイプの基材である。
【００３２】
本発明によるパッチは、透明な熱可塑性材料、たとえばポリカーボネートベースの材料を射出金型へ射出することによって製作できると有利である。金型は、本質的に周知の形で、圧縮ねじおよび加熱装置を含む材料圧縮および射出装置によって供給される。図５は、そのような金型１００を図示する。１０１および１０２と示す２つのインサートを、金型内に配置する。インサート１０１は、パッチ１の面のうちの段差を含む面Ｓ１を画定し、インサート１０２は、平滑な面Ｓ２を画定する。インサートは、互いに対向して配置され、かつパッチ１に対応する間隙１０３によって隔てられる。次いで、間隙１０３を満たすように、射出ノズル１０４によって金型１００内に熱可塑性材料が射出される。次いで金型１００が開けられ、冷却した後、パッチ１を取り出すことができる。
【００３３】
本発明の利益の少なくとも一部を保持しながら、先に詳細に述べた実施形態に多数の適合を導入できることが理解される。特に、引用した材料および値は、純粋に例示として引用されており、変更できることが、当業者には理解されるであろう。
【符号の説明】
【００３４】
１  パッチ
２  ゾーン（フレネルゾーン）
３  段差
１０  レンズ
１１  レンズ（眼鏡）
２０  接着材料
１００  金型
１０１  インサート
１０２  インサート
１０３  間隙
１０４  射出ノズル
Ｃ  円
ｅ  平均厚さ
Ｏ  光学中心
ｒ  半径方向
Ｒｃ  半径
Ｓ０  背面
Ｓ１  凸面
Ｓ２  凹面
ｚ  光軸
Δｒ  半径方向の寸法
Δｚ  段差の大きさ
θ  濡れ角
【図１ａ】
2009540347.tif 000003
【図１ｂ】
2009540347.tif 000004
【図１ｃ】
2009540347.tif 000005
【図２ａ】
2009540347.tif 000006
【図２ｂ】
2009540347.tif 000007
【図３】
2009540347.tif 000008
【図４】
2009540347.tif 000009
【図５】
2009540347.tif 000010
【国際調査報告】
2009540347.tif 000011
2009540347.tif 000012
2009540347.tif 000013
2009540347.tif 000014
2009540347.tif 000015
2009540347.tif 000016